【手続補正書】
【提出日】平成16年5月13日(2004.5.13)
【手続補正１】
【補正対象書類名】明細書
【補正対象項目名】発明の名称
【補正方法】変更
【補正の内容】
【発明の名称】ズームレンズ及びカメラ
【手続補正２】
【補正対象書類名】明細書
【補正対象項目名】特許請求の範囲
【補正方法】変更
【補正の内容】
【特許請求の範囲】
【請求項１】
物体側から像面側へと順に、正の屈折力を有する第１レンズ群と、
負の屈折力を有し、その位置が光軸方向に移動することによって、主として変倍を行う第２レンズ群と、
正の屈折力を有する第３レンズ群と、
正の屈折力を有し、その位置が光軸方向に移動することによって変倍による像位置の変動を補正すると共にフォーカシングを行う第４レンズ群と、
略ゼロの屈折力を有する第５レンズ群とから成り、
上記第３レンズ群は凸レンズと凹レンズとの接合レンズによって構成されると共に、第５レンズ群は凹レンズと凸レンズとの接合レンズによって構成され、
以下の各条件を満足する
ことを特徴とするズームレンズ。
−０．０１８＜１／ν３＜０．０１８
１０＜｜ν５．１−ν５．２｜
１＜｜ｒ５．２／ｆＷ・ｔａｎωＷ｜＜３
但し、
ν３：第３レンズ群の等価アッベ数、
ν５．１：第５レンズ群の物体側のレンズのアッベ数、
ν５．２：第５レンズ群の像面側のレンズのアッベ数、
ｒ５．２：第５レンズ群のレンズ接合面の曲率半径、
ｆＷ：広角端におけるレンズ全系の焦点距離、
ωＷ：広角端における半画角、
とする。
【請求項２】
第１レンズ群が物体側から順に、凹レンズと凸レンズとの接合レンズ、凸レンズ及び物体側に凸面を向けた凸メニスカスレンズの４枚によって構成され、
以下の条件を満足する
ことを特徴とする請求項１に記載のズームレンズ。
０．４９＜｜ｒ１．２／ｆＴ｜＜０．６５
但し、
ｒ１．２：第１レンズ群の接合レンズの接合面の曲率半径、
ｆＴ：望遠端におけるレンズ全系の焦点距離、
とする。
【請求項３】
第４レンズ群を凸単レンズによって構成し、そのアッベ数を５０以上とした
ことを特徴とする請求項１に記載のズームレンズ。
【請求項４】
第４レンズ群を凹レンズと凸レンズとの接合レンズによって構成し、
以下の条件を満足することを特徴とする請求項１に記載のズームレンズ。
−０．０１８＜１／ν４＜０．０１８
但し、
ν４：第４レンズ群の等価アッベ数、
とする。
【請求項５】
第５レンズ群を、それぞれ一方の側に平面を有すると共にそれぞれのｄ線における屈折率の差が０．０５以下とした凹レンズと凸レンズとを、その他方の側の曲面同士で接合することによって構成した、
ことを特徴とする請求項１に記載のズームレンズ。
【請求項６】
第３レンズ群を構成するレンズの少なくとも一の面と、第４レンズ群を構成するレンズの少なくとも一の面とを、非球面によって構成した
ことを特徴とする請求項１に記載のズームレンズ。
【請求項７】
請求項１に記載のズームレンズを有する
ことを特徴とするカメラ。
【手続補正３】
【補正対象書類名】明細書
【補正対象項目名】００１１
【補正方法】変更
【補正の内容】
【００１１】
【課題を解決するための手段】
本発明ズームレンズ及びカメラは、上記課題を解決するために、物体側から像面側へと順に、正の屈折力を有する第１レンズ群と、負の屈折力を有し、その位置が光軸方向に移動することによって、主として変倍を行う第２レンズ群と、正の屈折力を有する第３レンズ群と、正の屈折力を有し、その位置が光軸方向に移動することによって変倍による像位置の変動を補正すると共にフォーカシングを行う第４レンズ群と、略ゼロの屈折力を有する第５レンズ群とから成り、第３レンズ群は凸レンズと凹レンズとの接合レンズによって構成されると共に、第５レンズ群は凹レンズと凸レンズとの接合レンズによって構成され、ν３を第３レンズ群の等価アッベ数、ν５．１を第５レンズ群の物体側のレンズのアッベ数、ν５．２を第５レンズ群の像面側のレンズのアッベ数、ｒ５．２を第５レンズ群のレンズ接合面の曲率半径、ｆＷを広角端におけるレンズ全系の焦点距離、ωＷを広角端における半画角とした時に、−０．０１８＜１／ν３＜０．０１８、１０＜｜ν５．１−ν５．２｜、１＜｜ｒ５．２／ｆＷ・ｔａｎωＷ｜＜３の各条件を満足するようにしたものである。
【手続補正４】
【補正対象書類名】明細書
【補正対象項目名】００１２
【補正方法】変更
【補正の内容】
【００１２】
従って、本発明ズームレンズ及びカメラにあっては、ズーミング中の色収差の変動を小さくすることができるようになり、各種収差が改善されたスチルカメラに用いるのに最適な高画質のズームレンズを提供することが可能になる。
【手続補正５】
【補正対象書類名】明細書
【補正対象項目名】００１３
【補正方法】変更
【補正の内容】
【００１３】
【発明の実施の形態】
以下に、本発明ズームレンズ及びカメラの各実施の形態について、添付図面を参照して説明する。尚、図１乃至４は第１の実施の形態（数値実施例１）、図５乃至図８は第２の実施の形態（数値実施例２）、図９乃至図１２は第３の実施の形態（数値実施例３）をそれぞれ示すものである。
【手続補正６】
【補正対象書類名】明細書
【補正対象項目名】００９９
【補正方法】変更
【補正の内容】
【００９９】
【発明の効果】
以上に記載したところから明らかなように本発明ズームレンズ及びカメラは、物体側から像面側へと順に、正の屈折力を有する第１レンズ群と、負の屈折力を有し、その位置が光軸方向に移動することによって、主として変倍を行う第２レンズ群と、正の屈折力を有する第３レンズ群と、正の屈折力を有し、その位置が光軸方向に移動することによって変倍による像位置の変動を補正すると共にフォーカシングを行う第４レンズ群と、略ゼロの屈折力を有する第５レンズ群とから成り、第３レンズ群は凸レンズと凹レンズとの接合レンズによって構成されると共に、第５レンズ群は凹レンズと凸レンズとの接合レンズによって構成され、ν３を第３レンズ群の等価アッベ数、ν５．１を第５レンズ群の物体側のレンズのアッベ数、ν５．２を第５レンズ群の像面側のレンズのアッベ数、ｒ５．２を第５レンズ群のレンズ接合面の曲率半径、ｆＷを広角端におけるレンズ全系の焦点距離、ωＷを広角端における半画角とすると、−０．０１８＜１／ν３＜０．０１８、１０＜｜ν５．１−ν５．２｜、１＜｜ｒ５．２／ｆＷ・ｔａｎωＷ｜＜３の各条件を満足するようにしたので、固定の第３レンズ群と第５レンズ群でそれぞれ、軸上色収差及び倍率色収差を補正することとなって、ズーミング中における色収差の変動を小さくすることができ、各種収差が改善されたスチルカメラに用いるのに最適な高画質のズームレンズを提供することができる。
【手続補正７】
【補正対象書類名】明細書
【補正対象項目名】０１０１
【補正方法】変更
【補正の内容】
【０１０１】
請求項３に記載した発明にあっては、第４レンズ群を凸単レンズによって構成し、そのアッベ数を５０以上としたので、第４レンズ群が適正な色消しレンズとなって、軸上色収差及び倍率色収差の変動を小さくすることができる。
【手続補正８】
【補正対象書類名】明細書
【補正対象項目名】０１０２
【補正方法】変更
【補正の内容】
【０１０２】
請求項４に記載した発明にあっては、第４レンズ群を凹レンズと凸レンズとの接合レンズによって構成し、ν４を第４レンズ群の等価アッベ数とすると、−０．０１８＜１／ν４＜０．０１８の条件を満足するようにしたので、第４レンズ群が適正な色消しレンズとして作用して、軸上色収差及び倍率色収差の変動を小さくすることができる。
【手続補正９】
【補正対象書類名】明細書
【補正対象項目名】０１０３
【補正方法】変更
【補正の内容】
【０１０３】
請求項５に記載した発明にあっては、第５レンズ群を、それぞれ一方の側に平面を有すると共にそれぞれのｄ線における屈折率の差が０．０５以下とした凹レンズと凸レンズとを、その他方の側の曲面同士で接合することによって構成したので、第５レンズ群が屈折率が略ゼロのため、単色の収差の補正には、その厚みによる影響以外の影響を与えることを無くすことができる。
【手続補正１０】
【補正対象書類名】明細書
【補正対象項目名】０１０４
【補正方法】変更
【補正の内容】
【０１０４】
請求項６に記載した発明にあっては、第３レンズ群を構成するレンズの少なくとも一の面と、第４レンズ群を構成するレンズの少なくとも一の面とを、非球面によって構成したので、非点収差、球面収差コマ収差の補正を効果的に行うことができる。
【手続補正１１】
【補正対象書類名】明細書
【補正対象項目名】図面の簡単な説明
【補正方法】変更
【補正の内容】
【図面の簡単な説明】
【図１】
図２乃至図４と共に、本発明ズームレンズ及びカメラの第１の実施の形態を示すものであり、本図はレンズ配置を概略的に示す図である。
【図２】
広角端における球面収差、非点収差及び歪曲収差を示す図である。
【図３】
広角端と望遠端との中間焦点位置における球面収差、非点収差及び歪曲収差を示す図である。
【図４】
望遠端における球面収差、非点収差及び歪曲収差を示す図である。
【図５】
図６乃至図８と共に、本発明ズームレンズ及びカメラの第２の実施の形態を示すものであり、本図はレンズ配置を概略的に示す図である。
【図６】
広角端における球面収差、非点収差及び歪曲収差を示す図である。
【図７】
広角端と望遠端との中間焦点位置における球面収差、非点収差及び歪曲収差を示す図である。
【図８】
望遠端における球面収差、非点収差及び歪曲収差を示す図である。
【図９】
図１０乃至図１２と共に、本発明ズームレンズ及びカメラの第３の実施の形態を示すものであり、本図はレンズ配置を概略的に示す図である。
【図１０】
広角端における球面収差、非点収差及び歪曲収差を示す図である。
【図１１】
広角端と望遠端との中間焦点位置における球面収差、非点収差及び歪曲収差を示す図である。
【図１２】
望遠端における球面収差、非点収差及び歪曲収差を示す図である。
【図１３】
従来のズームレンズの一例を示す図である。
【符号の説明】
１…ズームレンズ、１Ａ…ズームレンズ、１Ｂ…ズームレンズ、Ｇｒ１…第１レンズ群、Ｇｒ２…第２レンズ群、Ｇｒ３…第３レンズ群、Ｇｒ４…第４レンズ群、Ｇｒ５…第５レンズ群